(57)【要約】【課題】荷重制限のある人工地盤上において、樹冠の投影面積に相当する領域に樹木の根を生育させ、樹木による緑陰を提供することを課題とする。【解決手段】人工地盤からなる人工地盤１２上に、樹木１６の根鉢１６Ａよりも薄い根張層１４が設けられており、この根張層１４内に樹木１６が植栽されている。樹木１６の根鉢１６Ａから延びる根は、根張層１４に侵入可能とされており、樹木１６の根が広範囲に渡って生育するので、樹木１６の樹冠は緑陰を提供するのに十分な大きさに成長する。また、客土３６は断熱プレート４０と保水排水プレート１８によって挟み込まれた状態となり、内部の温度変化が大きくならないように維持されると共に、乾燥しにくい構成となっている。このため、客土層３８内は、樹木１６の根の生育に適した環境となる。 【選択図】図１
2008000093.tif 000002
【特許請求の範囲】
【請求項１】
人工地盤上に設けられ樹木の根鉢が植栽される植栽部と、
前記植栽部の周りに設けられ、該植栽部より薄層で樹木の根が張る客土層と、
前記客土層の上部に設けられ、該客土層の水分の蒸発を防止する断熱層と、
前記客土層と前記人工地盤との間に設けられ排水機能を有する排水層と、
を有することを特徴とする緑陰緑化構造。
【請求項２】
前記人工地盤と前記植栽部との間に排水層を設けたことを特徴とする請求項１に記載の緑陰緑化構造。
【請求項３】
前記排水層には、水を保水する保水部が形成されていることを特徴とする請求項１又は請求項２に記載の緑陰緑化構造。
【請求項４】
前記断熱層には、前記客土層に水を通す通水孔が設けられていることを特徴とする請求項１〜請求項３のいずれか１項に記載の緑陰緑化構造。
【請求項５】
前記客土層内に、前記断熱層を支持し該客土層の厚みを一定に保持する支持部材が埋設されていることを特徴とする請求項１〜請求項４のいずれか１項に記載の緑陰緑化構造。
【請求項６】
前記支持部材には、前記樹木の根が絡みつく開口部が複数形成されていることを特徴とする請求項５に記載の緑陰緑化構造。
【請求項７】
前記客土層と前記排水層との間には、客土の流出を阻止するシート材が設けられていることを特徴とする請求項１〜請求項６のいずれか１項に記載の緑陰緑化構造。
【請求項８】
前記断熱層の上部には、歩行板が敷設されていることを特徴とする請求項１〜請求項７のいずれか１項に記載の緑陰緑化構造。
【請求項９】
前記歩行板は、透水性コンクリートで形成されていることを特徴とする請求項８に記載の緑陰緑化構造。
【請求項１０】
前記歩行板の継ぎ目には、前記断熱層に形成された通水孔に水を送る灌水手段が設けられていることを特徴とする請求項８又は請求項９に記載の緑陰緑化構造。
【請求項１１】
人工地盤上に排水機能を有する排水層を設ける第１の工程と、
前記排水層の上に樹木の根鉢を植栽する植栽部を残して、前記植栽部の周りに樹木の根が張る客土層を設ける第２の工程と、
前記客土層の上に、該客土層の水分の蒸発を防止する断熱層を設ける第３の固定と、
前記植栽部に樹木の根鉢を植栽する第４の工程と、
を有することを特徴とする緑陰緑化工法。
【請求項１２】
前記第２工程の前に、前記断熱層を支持し前記客土層の厚みを一定に保持する支持部材を前記排水層の上に設置する工程を有することを特徴とする請求項１１に記載の緑陰緑化工法。
【請求項１３】
前記第１工程の後に、客土の流出を阻止するシート材を前記排水層の上に敷設する工程を有することを特徴とする請求項１１又は請求項１２に記載の緑陰緑化工法。
【請求項１４】
前記断熱層の上部に、歩行板を敷設する工程を有することを特徴とする請求項１１〜請求項１３のいずれか１項に記載の緑陰緑化工法。
【請求項１５】
前記歩行板の継ぎ目に、前記断熱層に形成され通水孔へ水を送る灌水手段を設けることを特徴とする請求項１４に記載の緑陰緑化工法。
【発明の詳細な説明】
【技術分野】
【０００１】
本発明は、人工地盤上に施工されて緑陰を提供する緑陰緑化構造、及び緑陰緑化工法に関する。
【背景技術】
【０００２】
人工地盤上、屋上、歩道橋等のコンクリート面は、直射日光を照り返すため、特に夏期の暑い中での歩行はつらいものである。そこで、この人工地盤上や屋上等を緑化することで、直射日光の照り返しを防いだり、近年都市部で問題になっているヒートアイランド現象を緩和している。
【０００３】
特に、緑陰を提供する樹木を用いて緑化すれば、直射日光が遮断されるので、熱射病等から守られる。また、樹木の葉の裏にある気孔からの蒸散によって、日射が人体に与える不快感が低減される。
【０００４】
このような、緑陰を提供する樹木は、地面に大きく根を張る大木（高木）である。しかし、屋上等に大木を生育させるための厚い客土層を設けると、建物に作用する荷重の制限をオーバーしてしまう。
【０００５】
そこで、植栽用基礎構造体の上に植栽用土壌を敷き均して、薄型植栽用基盤体を形成し、この上に樹木系植物の根鉢を載置して、倒れないように樹木系植物を薄型植栽基盤体に固定することで、建物の荷重の問題を解消しながら、屋上等に大木を用いて緑陰を作ることが行われている（特許文献１参照）。
【０００６】
一般に、樹木系植物の根の生育範囲は、樹冠の投影面積に比例する。このため、必要最低限の緑陰を得るために、樹冠の投影面積に相当する領域に、樹木系植物の根を生育させる必要がある。
【０００７】
しかし、特許文献１では、植栽用土壌の上に樹木系植物の根鉢が載置されているだけなので、植栽用土壌中の水分が蒸発してしまう。このため、樹木系植物の根が植栽用土壌中に延びても、植栽用土壌中が乾燥しているため、根が枯れてしまう。つまり、樹木系植物の根が生育しないため、樹木系植物は緑陰を提供するほどの大木に成長しない。
【特許文献１】特開２００５−１８５１０９号公報
【発明の開示】
【発明が解決しようとする課題】
【０００８】
本発明は上記事実を考慮し、荷重制限のある人工地盤上において、樹冠の投影面積に相当する領域に樹木の根を生育させ、樹木による緑陰を提供することを課題とする。
【課題を解決するための手段】
【０００９】
請求項１に記載の発明の緑陰緑化構造は、人工地盤上に設けられ樹木の根鉢が植栽される植栽部と、前記植栽部の周りに設けられ、該植栽部より薄層で樹木の根が張る客土層と、前記客土層の上部に設けられ、該客土層の水分の蒸発を防止する断熱層と、前記客土層と前記人工地盤との間に設けられ排水機能を有する排水層と、を有することを特徴としている。
【００１０】
請求項１に記載の発明によれば、樹木の根鉢が植栽される植栽部が人工地盤上に設けられており、植栽部の周りには、樹木の根が張る客土層が設けられている。これにより、樹木の根が広範囲に渡って生育するので、樹木の樹冠は緑陰を提供するのに十分な大きさに成長する。
【００１１】
また、客土層の上部に設けられた断熱層によって、客土層中の水分の蒸発が防止され、客土層の下部に設けられた排水層によって、客土層中の余剰水分が排水される。このように、客土層の上部と下部を、それぞれ断熱層と排水層とで挟み込むことで、客土層には直接日光が当たらないと同時に、客土層は人工地盤に直接接触しないので、客土層内に熱が侵入しにくくなり、客土層の乾燥が防止される。つまり、客土層中には樹木の根の生育に必要な水分が確保される。
【００１２】
また、客土層の余剰水分は、排水層を介して地盤に流れるので、客土層内の水分要求量が適切に保たれて、樹木の根腐れを引き起こすことがない。
【００１３】
請求項２に記載の発明の緑陰緑化構造は、前記人工地盤と前記植栽部との間に排水層を設けたことを特徴としている。
【００１４】
請求項２に記載の発明によれば、人工地盤上と植栽部の間に排水層が設けられている。これにより、人工地盤の熱が植栽部に植栽された樹木の根鉢に侵入しにくくなり、根鉢の乾燥が防止される。
【００１５】
請求項３に記載の発明の緑陰緑化構造は、前記排水層には、水を保水する保水部が形成されていることを特徴としている。
【００１６】
請求項３に記載の発明によれば、排水層には保水部が設けられており、この保水部によって水が保水されるようになっている。これにより、客土層の余剰水分を保水部で保水して、必要に応じて（例えば、乾燥する時期など）、この保水部に保水された水分が客土層に供給されるので、頻繁な灌水を必要としない。
【００１７】
請求項４に記載の発明の緑陰緑化構造は、前記断熱層には、前記客土層に水を通す通水孔が設けられていることを特徴としている。
【００１８】
請求項４に記載の発明によれば、断熱層には通水孔が設けられており、降雨や灌水等による水が、通水孔を通って客土層に供給される。
【００１９】
請求項５に記載の発明の緑陰緑化構造は、前記客土層内に、前記断熱層を支持し該客土層の厚みを一定に保持する支持部材が埋設されていることを特徴としている。
【００２０】
請求項５に記載の発明によれば、客土層内に断熱層を支持する支持部材を埋設することで、客土層の厚みが一定に保持される。これにより、例えば断熱層の上に人が乗るなどして、断熱層の上から力が掛かっても、客土層が圧密されて薄くなってしまうことがないので、客土層内に張った樹木の根を傷める恐れがない。また、部分的に客土層の厚さが変化して、凹凸ができてしまうことがない。
【００２１】
請求項６に記載の発明の緑陰緑化構造は、前記支持部材には、前記樹木の根が絡みつく開口部が複数形成されていることを特徴としている。
【００２２】
請求項６に記載の発明によれば、支持部材には開口部が複数形成されており、この開口部には客土層に張った樹木の根が絡みつく。これにより、樹木が強風を受けも、根が持ち上がらないので、樹木の倒壊を防ぐことができる。
【００２３】
請求項７に記載の発明の緑陰緑化構造は、前記客土層と前記排水層との間には、客土の流出を阻止するシート材が設けられていることを特徴としている。
【００２４】
請求項７に記載の発明によれば、客土層と排水層の間にシート材を設けることで、客土の流出が阻止される。また、樹木の根が排水層内に入り込むのが阻止されるので、樹木の根によって人工地盤を傷めてしまうことがない。
【００２５】
請求項８に記載の発明の緑陰緑化構造は、前記断熱層の上部には、歩行板が敷設されていることを特徴としている。
【００２６】
請求項８に記載の発明によれば、断熱層の上部に歩行板を敷設することで、断熱層の上部が安定し、歩行しやすくなる。また、歩行板上を歩行したとき、樹木の根が踏圧を受けにくくなるので、樹木の根は十分に生育することができる。
【００２７】
請求項９に記載の発明の緑陰緑化構造は、前記歩行板は、透水性コンクリートで形成されていることを特徴としている。
【００２８】
請求項９に記載の発明によれば、歩行板を透水性コンクリートで形成することで、雨水が歩行板に透水して客土層へ浸透するので、歩行板上に水溜りができない。
【００２９】
請求項１０に記載の発明の緑陰緑化構造は、前記歩行板の継ぎ目には、前記断熱層に形成された通水孔に水を送る灌水手段が設けられていることを特徴としている。
【００３０】
請求項１０に記載の発明によれば、歩行板の継ぎ目には灌水手段が設けられており、断熱層に形成された孔に灌水手段から水が送られる。これにより、断熱層の下に設けられた客土層に水が供給されるので、降雨の少ない時期等に、外部から灌水する必要がない。
【００３１】
請求項１１に記載の発明の緑陰緑化工法は、人工地盤上に排水機能を有する排水層を設ける第１の工程と、前記排水層の上に樹木の根鉢を植栽する植栽部を残して、前記植栽部の周りに樹木の根が張る客土層を設ける第２の工程と、前記客土層の上に、該客土層の水分の蒸発を防止する断熱層を設ける第３の固定と、前記植栽部に樹木の根鉢を植栽する第４の工程と、を有することを特徴としている。
【００３２】
請求項１１に記載の発明によれば、排水機能を有する排水層を人工地盤上に設け、この排水層の上に、樹木の根鉢を植栽する植栽部を残しながら、樹木の根が張る客土層を植栽部の周りに設ける。そして、客土層の上に、水が浸透可能で且つ客土層中の水分の蒸発を防止する断熱層を設ける。このように、人工地盤の上に順次構成部材を設けていくので、作業が複雑にならない。
【００３３】
請求項１２に記載の発明の緑陰緑化工法は、前記第２工程の前に、前記断熱層を支持し前記客土層の厚みを一定に保持する支持部材を前記排水層の上に設置する工程を有することを特徴としている。
【００３４】
請求項１２に記載の発明によれば、第２工程の前に、断熱層を支持する支持部材を、排水層の上に設けることで、客土層の圧密を防止できる。
【００３５】
請求項１３に記載の発明の緑陰緑化工法は、前記第１工程の後に、客土の流出を阻止するシート材を前記排水層の上に敷設する工程を有することを特徴としている。
【００３６】
請求項１３に記載の発明によれば、第１工程の後に、排水層の上にシート材を敷設して、この上に客土層を設ける。これにより、客土が流出しにくくなる。
【００３７】
請求項１４に記載の発明の緑陰緑化工法は、前記断熱層の上部に、歩行板を敷設する工程を有することを特徴としている。
【００３８】
請求項１４に記載の発明によれば、断熱層の上部に歩行板を敷設することで、歩行しやすくなる。
【００３９】
請求項１５に記載の発明の緑陰緑化工法は、前記歩行板の継ぎ目に、前記断熱層に形成され通水孔へ水を送る灌水手段を設けることを特徴としている。
【００４０】
請求項１５に記載の発明によれば、歩行板の継ぎ目に灌水手段を設けることで、灌水手段から断熱層の下に設けられた客土層に水が供給されるので、降雨の少ない時期等に、外部から灌水する必要がない。
【発明の効果】
【００４１】
本発明は上記構成としたので、荷重制限のある人工地盤上において、樹冠の投影面積に相当する領域に樹木の根が生育し、樹木による緑陰が提供される。
【発明を実施するための最良の形態】
【００４２】
次に、本発明の実施形態に係る緑陰緑化構造１０について説明する。
【００４３】
図１及び図８に示すように、緑陰緑化構造１０は、人工地盤１２上に施工される保水排水プレート１８、客土層３８及び断熱プレート４０で構成される根張層１４と、この根張層１４に設けられた植栽部１７に植栽される樹木１６とで構成されている。
【００４４】
図２に示すように、根張層１４は、人工地盤１２上に設置されるエポキシ樹脂からなる保水排水プレート１８を有している。保水排水プレート１８は矩形状とされ、表面には所定の間隔で複数の矩形状の凹部２０が形成されている。この凹部２０には、後述する客土層３８の客土３６（図５参照）に浸透した余剰水が貯留されるようになっている。そして、必要に応じて（客土３６が乾燥すると）、凹部２０に貯留された水が、客土３６に供給されるようになっている。
【００４５】
また、保水排水プレート１８には、所定の間隔で貫通孔２２が形成されており、凹部２０に貯留しきれなかった水は、貫通孔２２を通して人工地盤１２へ流れるようになっている。これにより、保水排水プレート１８上（凹部２０内）には、必要以上に水が貯留されないので、客土３６中の水の量が多くなって根腐れを引き起こすことがない。
【００４６】
保水排水プレート１８の裏面には、所定の間隔で、格子状に溝２４が形成されている。これにより、保水排水プレート１８を人工地盤１２上に載置すると、人工地盤１２と保水排水プレート１８の間には隙間が形成され、貫通孔２２から人工地盤１２へ流れ込んだ水は、この隙間を通って人工地盤１２上を流れ、排水口（図示省略）へ流れ込むようになっている。
【００４７】
なお、本実施形態では、後述する耐根シート２６との接着性を高めるために、エポキシ樹脂からなる保水排水プレート１８を用いる構成で説明したが、保水排水プレート１８の材質は、必ずしもエポキシ樹脂に限定されるものではなく、ＥＰＳ（発砲スチレン）等でもよい。
【００４８】
また、本実施形態では、水の浸透性のないエポキシ樹脂で保水排水プレート１８を形成したが、保水層と排水層とで構成された保水排水層を用いてもよい。
【００４９】
さらに、保水排水プレート１８の裏面には、格子状の溝２４を形成する構成としたが、必ずしも保水排水プレート１８の裏面に設ける溝は、格子状である必要はない。貫通孔２２を介して人工地盤１２上に流れ込んだ水が、溝と人工地盤１２との間で堰きとめられることがなく、人工地盤１２上を流れていくことが可能であれば、溝の形状は限定されない。
【００５０】
保水排水プレート１８の上には、耐根シート２６が敷設されている。耐根シート２６は、保水排水プレート１８の上に接着剤で接着されており、この耐根シート２６によって、後述する客土層３８の客土３６の流出が防止される。また、耐根シート２６を設けることで、客土３６が貫通孔２２に入り込んで、貫通孔２２が目詰まりしたり、凹部２０内に客土３６が入り込んで、凹部２０の貯水機能が損なわれるのを防止する。さらに、耐根シート２６によって、樹木１６の根が、耐根シート２６の下に設置された保水排水プレート１８に入り込むのが阻止されるので、樹木１６の根によって人工地盤１２を傷めてしまうことがない。なお、耐根シート２６は透水性を有しており、客土３６の余剰水分は、耐根シート２６を通過して、下の保水排水プレート１８に流れ込む。
【００５１】
耐根シート２６の上には、客土層３８が設けられている。客土層３８は、塩化ビニル性のパレット２８と、パレット２８の間に敷き詰められた客土３６（図５参照）とで構成されている。なお、図２では、客土３６は省略している。
【００５２】
パレット２８は、矩形状の底板３０と、底板３０の四隅及び中央の５箇所から立設する柱部３２と、柱部３２の上端同士を連結する長尺板状の連結板３４とで構成されている。底板３０及び連結板３４には、それぞれ複数の開口部３０Ａ、３４Ａが形成されており、パレット２８全体の軽量化が図られていると共に、樹木１６（図８参照）の根がパレット２８に絡みつきやすいようになっている。
【００５３】
パレット２８の間に敷き詰められた客土３６（図５参照）としては、有機系土壌と無機系土壌が混合された人工土壌や、真珠岩パーライト等の人工土壌を用いる。これにより、客土層３８の保水性が確保されると共に、軽量化が図れる。また、長期に渡る降雨や灌水によって客土３６が目減りすることがないので、メンテナンスの必要がない。
【００５４】
客土層３８の上には、エポキシ樹脂からなる断熱プレート４０が設けられている。これにより、客土層３８は前述した保水排水プレート１８と、この断熱プレート４０に挟み込まれた状態となるため、客土層３８内の熱が放熱されにくくなり、客土層３８内は樹木１６の根の生育に適した温度に保たれる。
【００５５】
断熱プレート４０の上面には、４個の四角錐状の凹部４２が形成されている。凹部４２の中央には、通水孔４４が形成されており、後述する灌水ホース５２から灌水された水が、凹部４２の傾斜面に沿って通水孔４４付近に集まり、通水孔４４を通じて客土層３８へ流れ込むようになっている。
【００５６】
なお、本実施形態では、エポキシ樹脂からなる断熱プレート４０を用いる構成で説明したが、客土層３８内の熱を放熱しにくくするものであれば、断熱プレート４０を形成する材料は、エポキシ樹脂に限定されなく、例えば、ＥＰＳ（発砲スチレン）でもよい。
【００５７】
また、断熱プレート４０の上面には、４個の四角錐状の凹部２０を形成する構成としたが、灌水ホース５２の灌水孔５１に対応させて通水孔４４を形成し、この通水孔４４へ水を誘導するための傾斜を有する凹部であれば、凹部の形状及び個数は上記形態に限定されない。
【００５８】
断熱プレート４０の上には、透水性コンクリート４６が設けられている。透水性コンクリート４６の下面には、目止め材４８が塗布されており、断熱プレート４０の外周縁に密着して、透水性コンクリート４６の下に位置する客土３６の乾燥を防止している。
【００５９】
また、透水性コンクリート４６の端面には、半円状の凹部５０が形成されており、透水性コンクリート４６を並設する際に、凹部５０内に灌水ホース５２を挟み込む。これにより、灌水ホース５２が、透水性コンクリート４６間に保持される。
【００６０】
灌水ホース５２は、灌水孔５１を有しており、この灌水孔５１が断熱プレート４０の通水孔４４に対向するようにして、灌水ホース５２が配置される。これにより、灌水ホース５２から灌水された水は、断熱プレート４０の凹部４２の傾斜面を伝って、通水孔４４から断熱プレート４０の下の客土層３８へ流れ込む。
【００６１】
灌水ホース５２へ水を給水する給水装置（図示省略）は、客土３６中に設置された水分センサによって検出された客土３６中の水分量が所定値以下となると、給水を開始して、灌水ホース５２から灌水し、客土３６の水分を所望の値に保持する。
【００６２】
例えば、空隙８２％、有効水分２０％の真珠岩パーライトを用いて、厚さが５ｃｍとなるようにして客土層３８を形成したとき、この客土層３８の有効水分は１０リットル／ｍ２となる。そこで、夏季には、樹木１６（図８参照）の水分要求量を満たすように、灌水ホース５２から灌水される。ケヤキ等の高木からなる樹木１６の場合、気温３０度において、１日当たり１１リットル／ｍ２の水を必要とするため、樹木１６の初期しおれ点の水分張力であるｐｆ３．２を超えて乾燥しないように、水分センサによって灌水ホース５２からの灌水を管理する。
【００６３】
このように、季節や樹木１６の種類に応じた客土３６中の水分量によって、灌水ホース５２からの灌水を管理することで、長期に渡る降雨があった場合や、客土３６が乾燥しにくい高湿度の季節など、客土３６への吸水の必要がないときには灌水が行われないので、節水に繋がる。また、常に客土３６中の水分量が保たれるので、樹木１６の根腐れや枯化を引き起こす恐れがない。
【００６４】
なお、本実施形態では、客土３６中に設けた水分センサから信号をもらって灌水量を制御するようにしたが、客土３６中の水分量に関わらず、タイマー制御で所定時間毎に灌水ホース５２から灌水を行ってもよい。
【００６５】
次に、上記構成の緑陰緑化構造１０を人工地盤上に形成する緑陰緑化工法について説明する。
【００６６】
図３に示すように、まず、人工地盤１２上に複数枚の保水排水プレート１８を敷設する。保水排水プレート１８は、図２に示すように、矩形状とされており、この保水排水プレート１８を施工が必要な領域に複数敷き詰める。
【００６７】
そして、図４に示すように、保水排水プレート１８の上に、耐根シート２６を接着剤で貼着する。このとき、複数枚の保水排水プレート１８に跨るようにして、１枚の耐根シート２６が貼着される。なお、保水排水プレート１８とほぼ同じサイズにカットされた耐根シート２６を、複数枚並べて貼着してもよい。
【００６８】
次に、図５に示すように、耐根シート２６上に、複数枚のパレット２８を敷設し、客土３６を投入して客土層３８を形成する。このとき、後の工程で植栽される樹木１６の根鉢が挿入可能なスペースを設けておく（図中では、右端にこのスペースを設けている）。
【００６９】
次に、図６に示すように、客土層３８の上に、断熱プレート４０を配設する。そして、図７に示すように、灌水ホース５２を挟み込みながら、透水性コンクリート４６を敷設する。このとき、透水性コンクリート４６の端部が、断熱プレート４０の通水孔４４上に位置するように配置する。これにより、通水孔４４の上方に、灌水ホース５２が配置される。
【００７０】
そして、図８に示すように、植栽部１７側に露出する断熱プレート４０と透水性コンクリート４６の壁面に壁板５４を取り付ける。壁板５４の表面の端部近傍には、凸部５４Ａが突設されており、この凸部５４Ａを、透水性コンクリート４６の底面の端部に形成された凹部４６Ａに固定する。これにより、壁板５４は透水性コンクリート４６と断熱プレート４０の間に挟まれて、樹木１６の根鉢１６Ａを取り囲む植栽部１７が形成される。
【００７１】
そして、この植栽部１７に客土を投入して、樹木１６の根鉢１６Ａを埋め込む。樹木１６としては、緑陰を提供できる大きさの、ケヤキ、プラタナス、センダン、マテバシイ等の高木が用いられる。
【００７２】
次に、本発明の実施形態に係る緑陰緑化構造１０の作用について説明する。
【００７３】
人工地盤１２上に、樹木１６の根鉢１６Ａよりも薄い、保水排水プレート１８、客土層３８及び断熱プレート４０からなる根張層１４が設けられており、この根張層１４内に植栽部１７が設けられ、植栽部１７に樹木１６の根鉢１６Ａが植栽されている。
【００７４】
樹木１６の根鉢１６Ａから延びる根は、根張層１４の客土層３８に侵入可能とされており、樹木１６の根が広範囲に渡って生育するので、樹木１６の樹冠は緑陰を提供するのに十分な大きさに成長する。
【００７５】
また、根張層１４を構成する客土層３８の上部には、断熱プレート４０が設けられており、客土３６に直射日光が当たらないようになっている。また、客土層３８の下部には、保水排水プレート１８が設けられており、客土３６が直接人工地盤１２に接触しないようになっている。つまり、客土３６は断熱プレート４０と保水排水プレート１８によって挟み込まれた状態となり、内部の温度変化が大きくならないように維持されると共に、乾燥しにくい構成となっている。このため、客土層３８内は、樹木１６の根の生育に適した環境となる。
【００７６】
また、客土層３８内にパレット２８を設けることで、根張層１４上を人が歩行したり、この根張層１４上に載置されたベンチ５６に人が座るなどして上から力が掛かっても、客土層３８が圧密されて薄くなってしまうことがないので、樹木１６の根を傷めることがない。また、部分的に客土層３８の厚さが変化して、凹凸が出来てしまうことがない。
【００７７】
また、パレット２８の上に透水性コンクリート４６を設けることで、根張層１４の上部が安定し、歩行しやすくなる。また、透水性コンクリート４６上を歩行したとき、樹木１６の根が踏圧を受けにくくなるので、根は十分に生育することができる。
【００７８】
さらに、樹木１６の根が客土層３８内を広範囲で広がり、パレット２８に絡みつけば、樹木１６が強風を受けても、根が持ち上がりにくくなり、樹木１６が倒壊しない。
【００７９】
なお、本実施形態では、客土層３８の厚みを一定に保持する支持部材として、パレット２８を設ける構成としたが、図９に示すように、Ｃチャンネル５８を格子状に並べ、交差する位置をネジ６０で留めたものを用いてもよい。このとき、Ｃチャンネル５８に複数の孔５８Ａを形成すれば、この孔５８Ａに樹木１６（図８参照）の根が絡みつくので、樹木１６が強風を受けても転倒しない。
【図面の簡単な説明】
【００８０】
【図１】本実施形態に係る緑陰緑化構造の側面図である。
【図２】本実施形態に係る緑陰緑化構造の分解斜視図である。
【図３】本実施形態に係る緑陰緑化工法の第１の工程を示す側面断面図である。
【図４】本実施形態に係る緑陰緑化工法の第２の工程を示す側面断面図である。
【図５】本実施形態に係る緑陰緑化工法の第２の工程を示す側面断面図である。
【図６】本実施形態に係る緑陰緑化工法の第３の工程を示す側面断面図である。
【図７】本実施形態に係る緑陰緑化工法の第４の工程を示す側面断面図である。
【図８】本実施形態に係る緑陰緑化工法の第５の工程を示す側面断面図である。
【図９】その他の形態における支持部材の部分斜視図である。
【符号の説明】
【００８１】
１０  緑陰緑化構造
１２  人工地盤
１４  根張層
１６  樹木
１６Ａ  根鉢
１８  保水排水プレート（排水層）
２０  凹部（保水部）
２６  耐根シート（シート材）
２８  パレット（客土層、支持部材）
３６  客土（客土層）
３８  客土層
４０  断熱プレート
４４  通水孔
４６  透水性コンクリート
５２  灌水ホース（灌水手段）
５８  チャンネル（客土層、支持部材）
６２  植栽部
【図１】
2008000093.tif 000003
【図２】
2008000093.tif 000004
【図３】
2008000093.tif 000005
【図４】
2008000093.tif 000006
【図５】
2008000093.tif 000007
【図６】
2008000093.tif 000008
【図７】
2008000093.tif 000009
【図８】
2008000093.tif 000010
【図９】
2008000093.tif 000011